(57)【要約】【課題】高優先度監視端末（重要端末）の接続不可能による業務の遅延や停止などを防止する。【解決手段】ネットワーク監視システムは、監視対象ネットワークに存在する複数の被監視装置を複数の監視端末からそれぞれ監視させる冗長構成の複数系統の監視装置を備える。上記複数系統の監視装置のそれぞれが、上記複数系統の監視装置のいずれかが動作不能状態になった場合に、動作不能系統の監視装置配下の上記複数の監視端末を予め設定されている優先度に従って動作可能系統の監視装置の配下に接続変更する制御手段を備える。【選択図】図３
2005159970.tif 000002
【特許請求の範囲】
【請求項１】
監視対象ネットワークに存在する複数の被監視装置を複数の監視端末からそれぞれ監視させる冗長構成の複数系統の監視装置を備えるネットワーク監視システムであって；
前記複数系統の監視装置のいずれかが動作不能状態になった場合に、動作不能系統の監視装置配下の前記複数の監視端末を予め設定されている優先度に従って動作可能系統の監視装置の配下に接続変更する制御手段を前記複数系統の監視装置のそれぞれが備えるネットワーク監視システム。
【請求項２】
前記制御手段は、前記動作不能系統の監視装置配下の前記複数の監視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されていた監視端末よりも優先度の低い監視端末の接続を切断する
請求項１記載のネットワーク監視システム。
【請求項３】
前記各監視端末の識別情報毎に、前記優先度を示す優先順位情報、監視装置との接続状況情報、接続監視装置情報、及び交換接続候補の監視端末情報の記憶領域を有する記憶手段を前記複数系統の監視装置が更に備える
請求項１記載のネットワーク監視システム。
【請求項４】
前記制御手段は、前記記憶手段の記憶情報に基づいて、前記動作不能系統の監視装置配下の前記複数の監視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されている監視端末よりも優先度の低い前記動作可能系統の監視装置配下の監視端末の接続を切断するとともに前記動作不能系統の監視装置に接続されている優先度の高い監視端末からの接続変更要求を受け入れる状態にするために、前記記憶手段における前記接続状況情報、前記接続監視装置情報、及び前記交換接続候補の監視端末情報を書き替える
請求項３記載のネットワーク監視システム。
【請求項５】
前記動作不能系統の監視装置が動作可能状態に復旧した場合、復旧監視装置の前記制御手段は、前記記憶手段における前記監視端末の識別情報、前記優先度を示す優先順位情報、及び前記接続状況情報を参照し、前記優先度の高優先順位の序列に従って切断状態の監視端末に規定接続数までの接続を許可する
請求項４記載のネットワーク監視システム。
【発明の詳細な説明】
【技術分野】
【０００１】
本発明は、監視対象ネットワークに存在する複数の監視対象装置（被監視装置）を複数の監視端末からそれぞれ監視させる冗長構成の複数系統の監視装置を備えるネットワーク監視システムに関し、特に複数系統の監視装置のいずれかが障害などで動作不能状態になった場合に、動作不能系統の監視装置配下の複数の監視端末を動作可能系統の監視装置の配下に接続変更する機能を有するネットワーク監視システムに関する。
【背景技術】
【０００２】
ネットワーク上の複数の監視対象装置（被監視装置）を複数の監視端末からそれぞれ監視させる冗長構成の複数系統の監視装置を備えるネットワーク監視システムにおいては、１つの系統の監視装置が配下に接続可能な監視端末の数について、その監視装置のシステムリソースや性能保護の観点から最大値が規定される。
【０００３】
従来のネットワーク監視システムでは、監視端末が監視装置の接続可能数を超して接続しようとすると、監視装置がその接続要求を拒否し、監視端末にその旨を通知している。
【０００４】
監視端末には、常時ネットワーク監視を必須とする中枢的な端末や重要なバッチ処理を実行する端末などの重要な端末（重要端末）と、予備的な監視を行う端末などの重要でない端末（非重要端末）とが存在する。
【０００５】
この重要端末を監視装置に接続しようとしたときに、非重要端末を含めた接続端末数が接続可能数まで接続されていると、電話連絡などにより、非重要端末を監視装置から切断させる必要があるので、業務遅延などの問題が発生する。
【０００６】
さらに、非重要端末を監視装置に接続したままで監視局が無人の状態になった場合、業務停止の問題が発生することを免れない。
【０００７】
また、重要端末が監視装置と接続している最中に監視装置に障害が発生した場合、他系統の監視装置に接続を振り替えようとしても、非重要端末を含めた接続端末数が接続可能数まで接続されていると、同様に接続できない問題が発生する。
【特許文献１】特開２００３−５１８２２号公報
【発明の開示】
【発明が解決しようとする課題】
【０００８】
本発明の課題は、冗長構成の複数系統の監視装置のいずれかが障害などで動作不能状態になった場合に、動作不能系統の監視装置配下の複数の監視端末を動作可能系統の監視装置の配下に接続変更可能にする手法を提供することにある。
【課題を解決するための手段】
【０００９】
上記課題を解決するために、本発明のネットワーク監視システムは、監視対象ネットワークに存在する複数の被監視装置を複数の監視端末からそれぞれ監視させる冗長構成の複数系統の監視装置を備えるネットワーク監視システムであって；
前記複数系統の監視装置のいずれかが動作不能状態になった場合に、動作不能系統の監視装置配下の前記複数の監視端末を予め設定されている優先度に従って動作可能系統の監視装置の配下に接続変更する制御手段を前記複数系統の監視装置のそれぞれが備える。
【００１０】
この構成において、前記制御手段は、前記動作不能系統の監視装置配下の前記複数の監
視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されていた監視端末よりも優先度の低い監視端末の接続を切断する。
【００１１】
また、本発明のネットワーク監視システムにおいては、前記各監視端末の識別情報毎に、前記優先度を示す優先順位情報、監視装置との接続状況情報、接続監視装置情報、及び交換接続候補の監視端末情報の記憶領域を有する記憶手段を前記複数系統の監視装置が更に備える。
【００１２】
この構成において、前記制御手段は、前記記憶手段の記憶情報に基づいて、前記動作不能系統の監視装置配下の前記複数の監視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されている監視端末よりも優先度の低い前記動作可能系統の監視装置配下の監視端末の接続を切断するとともに前記動作不能系統の監視装置に接続されている優先度の高い監視端末からの接続変更要求を受け入れる状態にするために、前記記憶手段における前記接続状況情報、前記接続監視装置情報、及び前記交換接続候補の監視端末情報を書き替える。
【００１３】
また、前記動作不能系統の監視装置が動作可能状態に復旧した場合、復旧監視装置の前記制御手段は、前記記憶手段における前記監視端末の識別情報、前記優先度を示す優先順位情報、及び前記接続状況情報を参照し、前記優先度の高優先順位の序列に従って切断状態の監視端末に規定接続数までの接続を許可する。
【発明の効果】
【００１４】
本発明によれば、冗長構成の複数系統の監視装置のいずれかが障害などで動作不能状態になった場合に、動作不能系統の監視装置配下の複数の監視端末を予め設定されている優先度に従って動作可能系統の監視装置の配下に接続変更する制御手段を複数系統の監視装置のそれぞれが備え、状況に応じた監視端末の接続が確保されるため、重要なオペレーションを実施するときなど、高優先度監視端末（重要端末）の接続不可能による業務の遅延や停止などを防止することができる。
【００１５】
本発明の他の課題、特徴及び利点は、図面及び併記の特許請求の範囲とともに取り上げられる際に、以下に記載される明細書を読むことにより明らかになるであろう。
【発明を実施するための最良の形態】
【００１６】
以下、添付図面を参照して、本発明について更に詳細に説明する。図面には本発明の好ましい実施形態が示されている。しかし、本発明は、多くの異なる形態で実施されることが可能であり、本明細書に記載される実施形態に限定されると解釈されてはならない。むしろ、これらの実施形態は、本明細書の開示が徹底的かつ完全となり、当業者に本発明の範囲を十分に伝えるように提供される。全体を通じて同様の番号は同様の要素を指す。
【００１７】
［システムの構成］
本発明の一実施の形態におけるシステム構成を示す図１を参照すると、ネットワーク監視システム１は、監視対象ネットワーク２に存在する複数の監視対象装置（被監視装置）３を複数の監視端末４からそれぞれ監視させる冗長構成の複数系統の監視装置５を備えている。
【００１８】
各被監視装置３はルータなどのネットワーク機器（ネットワークエレメント）である。各監視端末４は、利用者（ネットワーク監視者）に、被監視装置３の状態を可視表示した
り、被監視装置３の動作を指示させる（制御させる）ためのクライアント装置である。
【００１９】
ここでは、一例として４つの監視端末４を図示している。これら４つの監視端末４は互いに場所の異なる監視局内に配置され、主（中央）監視端末及び副（サブ）監視端末に類別される。
【００２０】
主監視端末４は常時ネットワーク監視を必須とする中枢的な端末や重要なバッチ処理を実行する端末などの重要な端末（重要端末）である。また、副監視端末４は予備的な監視（例えば、ログだけの監視）を行う重要でない端末（非重要端末）である。
【００２１】
これらの監視端末４は、ＬＡＮ（Local Area Network）及び／またはＷＡＮ（Wide Area Network）などのネットワーク（監視端末接続ネットワーク）６に収容され、このネッ
トワーク６を通して複数系統の監視装置５のいずれかに選択的に接続される。
【００２２】
複数系統の監視装置５は、監視端末４を収容している監視端末接続ネットワーク６と、監視対象ネットワーク２及び被監視装置３に接続されているネットワーク（被監視装置接続ネットワーク）８とに接続されているサーバ装置である。ここでは、二重化冗長構成として図示している監視装置５は、互いにネットワーク（監視装置相互接続ネットワーク）７を通して接続され、ヘルスチェックとして各監視装置の状態についての各種情報を定期的に送受信可能である。
【００２３】
［監視装置及び監視端末の構成・機能］
上述したシステム構成を採るネットワーク監視システム１における監視装置５及び監視端末４の構成を示す図２を図１と併せ参照すると、複数系統の各監視装置５において、通信部５１は監視端末４、被監視装置３、及び他系統の監視装置（他監視装置）５との接続及び通信処理を行う。この通信部５１は接続対象装置毎に設けてもよい。
【００２４】
障害検出機能部５２は、他監視装置５の動作状態（ここでは、障害発生状態）及び他監視装置５に接続されている（厳密には、論理的に接続されている）監視端末４の情報を監視装置相互接続ネットワーク７及び通信部５１を介して定期的に収集する。
【００２５】
優先度テーブル５３は各監視端末４の予め定められた優先度を保持する（記憶する）。この優先度テーブル５３の詳細は後に詳述する図５〜図８に示す。端末接続管理部５４は優先度テーブル５３における記憶情報を基に自系統の監視装置（自監視装置）５の配下の監視端末４との接続までの処理を行う。
【００２６】
他系ＩＤテーブル５５は障害検出機能部５２で使用する他監視装置５のＩＤ（識別情報）を保持する。この他系ＩＤテーブル５５の詳細は後に詳述する図４に示す。保護時間テーブル５６は保護時間を設定するためのテーブルである。
【００２７】
また、各監視端末４において、通信部４１は監視装置５との接続及び通信処理を行う。再接続処理部４２は監視装置５との接続が切断された場合の再接続処理を行う。
【００２８】
なお、このネットワーク監視システム１においては、複数系統の監視装置５のいずれかが障害などで動作不能状態になった場合に、動作不能系統の監視装置５配下の複数の監視端末４を予め設定されている優先度に従って動作可能系統の監視装置５の配下に接続変更する機能が基本的特徴であるので、ネットワーク２及び被監視装置３の監視制御自体に関する機能構成は図示及び説明を省略する。
【００２９】
更に詳述すると、各監視装置５において、障害検出機能部５２は、ネットワーク７及び
通信部５１を通して、他系ＩＤテーブル５５の内容に該当する他監視装置５の障害発生状態及び他監視装置５における接続監視端末４の情報を相互接続されている他監視装置５から定期的に取得する。この際、他監視装置５の接続監視端末識別情報は、優先度テーブル５３に格納される。
【００３０】
障害が発生した障害監視装置５において、他監視装置５からの定期通信に応答を返信できない状態から一定の保護時間を経過しても障害が復旧しない場合、他監視装置５の障害検出機能部５２は障害監視装置５の障害発生を検出する。障害検出機能部５２は、他監視装置５の障害発生を検出すると、端末接続管理部５４にその旨を通知する。
【００３１】
端末接続管理部５４は、この通知を受けると、障害が発生した監視装置５の配下の監視端末４の優先度を優先度テーブル５３で確認し、自監視装置５配下の低優先度監視端末４を切り離して、別の監視端末４の接続を実施する必要があるかどうかを判断する。端末接続管理部５４は、この判断の結果、切断を実施する必要があった場合、優先度テーブル５３の受け入れる箇所（後に詳述する図５〜図８中の交換監視端末の項目）に設定を行い、接続を受け入れられる状態にする。
【００３２】
但し、一定時間が経過しても、予測された監視端末４からの接続要求（接続変更要求）がなかった場合、端末接続管理部５４は、優先度テーブル５３の受け入れ箇所から予測監視端末４を特定する条件を削除する。これにより、この受け入れる箇所は、予測監視端末４以外でも、次に優先度が高い監視端末４であれば、接続が受理されるようになる。
【００３３】
また、障害検出後、自監視装置５に接続されている監視端末４以外の監視端末４から接続要求を受信すると、端末接続管理部５４は、優先度テーブル５３を参照し、自監視装置５に接続されている監視端末４の内、要求を発した監視端末４よりも優先度の低い監視端末４がある場合、その低優先度監視端末４との接続を切断後、接続要求を発信した監視端末４との接続を実施する。
【００３４】
障害監視装置５が復旧した場合、他監視装置５からの定期通信に応答を返信するようになった状態から一定の保護時間を経過しても該当監視装置が正常に動作している場合、他監視装置５の障害検出機能部５２は、復旧監視装置５の復旧を検出する。また、復旧監視装置５は、この保護時間の間に、他監視装置５から現在の監視端末４の接続状況を取得する。
【００３５】
他監視装置５の障害検出機能部５２は、復旧の旨を優先度テーブル５３に記述されている全ての監視端末４に通知する。また、復旧監視装置５は、優先度テーブル５３から接続要求を送信してくる監視端末４を予測し、優先度テーブル５３上に、自監視装置で受け入れる記述を実施する。これにより、高優先度（一層優先度の高い）の監視端末４の優先接続制御が可能となる。
【００３６】
［具体的動作例］
次に、本発明の一実施の形態のネットワーク監視システム１における具体的動作例を図１から図８を併せ参照して説明する。
この動作例を説明するための前提になるネットワーク監視システム１は、ネットワーク２上の複数の被監視装置３をそれぞれ３つの監視端末４から監視させる３系統（三重化構成）の監視装置（＃１〜＃３）５を備えている（図３参照）。このネットワーク監視システム１においては、３系統の監視装置５のいずれかが動作不能状態（障害）になった場合に、動作不能系統の監視装置（＃３）５の配下の３つの監視端末４を予め設定されている優先度に従って動作可能系統の監視装置（＃１，＃２）５の配下に割り振る（接続変更する）処理について説明する。
【００３７】
図３は、監視装置（＃３）５に障害が発生した場合、またその障害が復旧した場合の監視端末４の接続割り振りの状態遷移を示している。
【００３８】
図４は監視装置５における他系ＩＤテーブル５５の一例を示す。この他系ＩＤテーブル５５は、優先度テーブル５３における接続監視装置の項目と一致した項目を持ち、他系及び自系の全ての監視装置のＩＰアドレス（監視装置ＩＰ）を保持している。
【００３９】
図５，図６，図７，図８は、監視装置５における優先度テーブル５３の一例を示している。この優先度テーブル５３は、監視端末ＩＤ、監視端末ＩＰ、監視端末優先度、状態（接続状況）、接続監視装置、交換監視端末（交換接続候補の監視端末）の情報項目から成り立っている。なお、この例では、監視端末ＩＤと監視端末ＩＰとを個別に使っているが、ＩＰ（ＩＰアドレス）をＩＤ（識別情報）の代わりにしてもよい。
【００４０】
この動作例では、各監視装置５の監視端末最大接続数は３つであり、監視端末４の優先度は第１位から第４位までの４段階の優先順位があり、数値が大きい程優先度が高いことを示している。また、優先度テーブル５３における「状態」には、三つの段階があり、０：接続、１：切断、２：接続待ちを表す。
【００４１】
図３（Ａ）に示す正常状態から監視装置＃３に障害が発生すると、監視装置＃３に監視端末接続ネットワーク６を通して接続されていたＩＤ：７、８、９の監視端末は他の監視装置＃１，＃２に監視端末接続ネットワーク６を通して接続する必要がある（図３（Ｂ））。この際の、各監視端末の接続結果について、詳細な内容を次に示す。
【００４２】
監視装置＃３に障害が発生し、監視不能の状態に陥ると、保護時間テーブル５６で予め設定されている一定の保護時間を経過しても障害が復旧しなかった場合、監視装置＃１，＃２の障害検出機能部５２は監視装置＃３の障害発生状態を検出し、それぞれ自分の持つ優先度テーブル５３からＩＤ：７、８、９の監視端末が再接続要求を発信することを判断する（予測する）（図５（Ａ））。
【００４３】
監視装置＃１の障害検出機能部５２からこの障害発生状態を通知された端末接続管理部５４は、優先度テーブル５３において、監視装置＃３に接続されているこれらの監視端末の状態を、１（切断）に書換え、接続監視装置の番号＃３をクリアする（図５（Ｂ））。そして、端末接続管理部５４は、優先度テーブル５３に基づいて、切断された各監視端末がどの監視装置に接続されるべきか、判断を実施する。この時、優先度の高い監視端末から接続順を判断する。つまり、端末接続管理部５４は、接続要求を発信するＩＤ：７、８、９の監視端末の内、ＩＤ：９の監視端末が第１位優先度「３」と一番高いため、この接続を先に考える。
【００４４】
優先度テーブル５３中、障害が発生していない監視装置の接続監視端末はＩＤ：１、２、３、４、５、６である。また、ＩＤ：９の監視端末より優先度が低い監視端末は、優先度「２」以下、つまり、ＩＤ：２、５、６の監視端末である。その中で、優先度が最も低い監視端末は、優先度が「１」のＩＤ：２、５の監視端末である。端末接続管理部５４は、これ以上の優劣による絞り込みはないため、配列順の若いＩＤ：２の監視端末を、ＩＤ：９の監視端末の接続の代わりに切断するよう判断し、ＩＤ：２の監視端末対応の状態の項目を０（接続）から１（切断）に変更するとともに、交換監視端末の項目を９（ＩＤ：９）に変更する（図５（Ｃ））。さらに、端末接続管理部５４は、接続を実施する監視端末ＩＤ：９の状態項目を１（切断）から２（接続待ち）に変更するとともに、接続監視装置の項目を＃１とする（図６（Ａ））。
【００４５】
なお、この例では最終的な絞り込みに配列順を適用したが、優先度を一意的にするなどの他の方法を利用してもよい。
【００４６】
監視装置＃２では、上記と同じ判断を行い、自装置に切断するべき監視端末はないと判断し、監視端末ＩＤ：２の状態の項目を０（接続）から１（切断）に、交換監視端末の項目を９（ＩＤ：９）と変更し（図５（Ａ）〜（Ｃ））、且つ、接続を実施する監視端末ＩＤ：９の状態項目を１（切断）から２（接続待ち）に変更し、接続監視装置の項目を＃１とする（図６（Ａ））。
【００４７】
続いて、監視装置２では、端末接続管理部５４が第２位優先度「２」の監視端末ＩＤ：７の代わりに切断する監視端末を探し出す必要がある。そのために、監視端末ＩＤ：９の代わりを探した時と同様に、障害が発生しておらず、第３位優先度「１」以下の監視端末を探すと、ＩＤ：２、５の監視端末が該当する。但し、ＩＤ：２の監視端末については、先の判断によって状態項目に切断中のフラグ「１」が立っているので、この候補から除外し、ＩＤ：５の監視端末が残る。
【００４８】
そこで、端末接続管理部５４は、ＩＤ：５の監視端末をＩＤ：７の監視端末の代わりに切断するように判断し、監視端末ＩＤ：５の状態の項目を０（接続）から１（切断）に変更するとともに、交換監視端末の項目を７（ＩＤ：７）に変更し（図６（Ｂ））、且つ、接続を実施する監視端末ＩＤ：７の状態を１（切断）から２（接続待ち）に変更するとともに、接続監視装置の項目を＃２とする（図６（Ｃ）））。
【００４９】
監視装置＃１では、上記と同じ判断を行い、自装置に切断するべき監視端末はないと判断し、監視端末ＩＤ：５の状態の項目を０（接続）から１（切断）に変更するとともに、交換監視端末の項目を７（ＩＤ：７）と変更し（図６（Ｂ））、且つ、接続を実施する監視端末ＩＤ：７の状態を１（切断）から２（接続待ち）に変更し、接続監視装置の項目を＃２とする（図６（Ｃ））。
【００５０】
監視装置＃３の障害により接続を解除されたＩＤ：７、９の監視端末は、再接続処理部４２から通信部４１及び監視端末接続ネットワーク６を介してそれぞれ再接続要求を送信する。この時、各監視端末は、接続不能になった監視装置＃３を除く監視装置＃１，＃２の内、最もＩＤの若い監視装置＃１に接続要求を送信する。ＩＤ：７、９の監視端末は共にこの判断を行って送信するが、受信側である監視装置＃１では、ＩＤ：７の監視端末からの要求を受けた際、端末接続管理部５４が優先度テーブル５３を参照し、自装置の監視端末接続状態を判断する。
【００５１】
端末接続管理部５４は、優先度テーブル５３（図６（Ｃ））を参照することにより、接続監視装置＃１で切断状態となっているのは、監視端末ＩＤ：２だけであることを認識する。端末接続管理部５４は、優先度テーブル５３を検索し、監視端末ＩＤ：２対応の交換監視端末の項目内容から監視端末を探すと、ＩＤ：９が検索結果として発見される。受信した接続要求に基づくと、送信元の監視端末ＩＤは７のため、監視装置＃１の端末接続管理部５４は監視端末ＩＤ不一致の旨をＩＤ：７の監視端末に返信する。ＩＤ：７の監視端末の再接続処理部４２は、この返信内容を受信すると、次の監視装置である監視装置＃２へと接続要求を送信する。
【００５２】
一方、ＩＤ：９の監視端末の再接続処理部４２が再接続要求を監視装置＃１に対して送信すると、監視装置＃１では、端末接続管理部５４がＩＤ：７の監視端末からの要求を受信した時と同様に、優先度テーブル５３を参照して切断されている監視端末、その監視端末の交換監視端末、の順に検索する。その結果、交換監視端末の項目からＩＤ：９が発見され、接続要求の送信元の監視端末ＩＤと一致するため、端末接続管理部５４は監視端末
ＩＤ：２の接続（論理的接続）を切断し、監視端末ＩＤ：９の接続要求を受理する。端末接続管理部５４は、優先度テーブル５３の内容を接続要求の内容に従って、監視端末ＩＤ：９の状態項目を０（接続）に変更するとともに、監視端末ＩＤ：２の接続監視装置及び交換監視端末の各項目をクリアするように書き換える（図３（Ｃ），図７（Ａ））。
【００５３】
また、ＩＤ：７の監視端末の再接続処理部４２は監視装置＃２へと再接続要求を送信し直すが、監視装置＃２の端末接続管理部５４は優先度テーブル５３を参照すると、監視端末ＩＤ：５の状態項目が１（切断）で、交換監視端末の項目で監視端末ＩＤ：５が保持しているのは、７（ＩＤ：７）である。つまり、待ち状態の監視端末と一致しているため、監視端末ＩＤ：５の接続（論理的接続）を切断し、ＩＤ：７の監視端末からの接続要求を受理する。端末接続管理部５４は、優先度テーブル５３の内容を接続要求の内容に従って、監視端末ＩＤ：７の状態項目を０（接続）に変更し、監視端末ＩＤ：５の接続監視装置及び交換監視端末の各項目をクリアするように書き換える（図３（Ｃ），図７（Ｂ））。
【００５４】
なお、図６（Ｃ）に示す優先度テーブル５３の状態（監視端末からの要求を待つ状態）のまま、一定時間、該当監視端末からの接続要求が来なかった場合、端末接続管理部５４は、優先度テーブル５３の該当監視端末の状態項目を１（切断）とし、接続監視装置及び交換監視端末の項目をクリアする。この状態で、監視端末からの要求を受信すると、受信側である監視装置＃１では、要求を受けた際、優先度テーブル５３を参照し、自装置の監視端末接続状態を判断する。つまり、図７（Ｃ）に示す優先度テーブル５３に基づくと、接続監視装置＃１で切断状態となっているのは、監視端末ＩＤ：２だけである。端末接続管理部５４は、優先度テーブル５３を検索し、交換監視端末の内容に監視端末ＩＤ：２がある監視端末を探すが、クリアされたため、交換監視端末は見つからない。この様な場合には、要求元監視端末の要求情報から優先度を引き出し、状態項目が１（切断）となっているＩＤ：２の監視端末の優先度との優先度高低判定を行い、ＩＤ：２の監視端末の優先度「１」よりも優先度が高い（２以上）の場合は、ＩＤ：２の監視端末との接続を切って、要求元監視端末と接続する。優先度が低いか同じ（１以下）の場合は、要求を拒否し、ＩＤ：２の監視端末を接続し続ける。
【００５５】
次に、障害発生状態の監視装置＃３が復旧した場合の端末接続決定処理について説明する。監視装置＃３が復旧し、監視装置＃１，＃２の障害検出機能部５２の他監視装置監視要求に応答が返信されるようになってから一定時間が経過すると、他監視装置＃１，＃２は監視装置＃３の復旧として検出する。監視装置＃３の復旧を検出すると、監視装置＃１，＃２の端末接続管理部５４は、監視装置＃３の復旧を、優先度テーブル５３に記述されている全ての監視端末に対して通知する。図７（Ｂ）に示す優先度テーブル５３上、切断されている状態のＩＤ：２、５、８の監視端末は、それぞれ通知を受信し、再接続処理部４２から監視装置＃３に対して接続要求を送信する。
【００５６】
監視装置＃３では、復旧までの保護時間の間に、監視装置＃１及び監視装置＃２から各監視端末の接続状況を取得し、優先度テーブル５３を更新する（（図５（Ａ）から（図７（Ｂ）へ）。端末接続管理部５４は、更新された優先度テーブル５３に基づいて、接続要求を送信してくる監視端末を判断する。この際、優先度の高い監視端末から順に、接続監視装置の項目に＃３を記述する（図８（Ａ））。この例では、切断状態の監視端末全てを収容しても最大接続数を超過しないため、全ての監視端末に＃３が記述される。
【００５７】
監視端末からの接続要求を受信すると、監視装置＃３の端末接続管理部５４は、優先度テーブル５３を参照し、状態：１（切断）、接続監視端末：＃３となっている監視端末を検索する。その結果、端末接続管理部５４は、ＩＤ：２、５、８の監視端末が対象となり、それぞれの監視端末ＩＤからの接続要求が来ている場合に、接続を受理し、優先度テーブル５３上の、対象監視端末ＩＤの状態項目を１（切断）から０（接続）へと変更する（
図３（Ｄ），図８（Ｂ））。
【００５８】
［効果］
上述した本発明の一実施の形態によれば、冗長構成の複数系統の監視装置５のいずれかが障害などで動作不能状態になった場合に、動作不能系統の監視装置配下の複数の監視端末４を予め設定されている優先度に従って動作可能系統の監視装置の配下に接続変更する制御手段を複数系統の監視装置のそれぞれが備え、状況に応じた監視端末の接続が確保されるため、重要なオペレーションを実施するときなど、高優先度監視端末（重要端末）の接続不可能による業務の遅延や停止などを防止することができる。
【００５９】
また、監視装置が動作不可能状態時の検出保護時間を設けることで、監視対象ネットワーク２の輻輳等による他監視装置ダウンの誤検出（ダウン検出と復旧検出とが頻繁に起こること）を防ぐことができるため、監視端末との安定した接続を保証できる。
【００６０】
さらに、監視装置障害時などに接続変更を行う高優先度監視端末に障害があったときなど、高優先度監視端末が接続できない状況になったときでも、保護時間経過後は低優先度監視端末を接続することが可能となるため、監視システム全体として最大限の監視端末接続数を保証することが可能となる。
【００６１】
［変形例］
上述した一実施の形態における処理はコンピュータで実行可能なプログラムとして提供され、ＣＤ−ＲＯＭやフレキシブルディスクなどの記録媒体、さらには通信回線を経て提供可能である。
【００６２】
また、上述した一実施の形態における各処理はその任意の複数または全てを選択し組合せて実施することもできる。
【００６３】
［その他］
（付記１）監視対象ネットワークに存在する複数の被監視装置を複数の監視端末からそれぞれ監視させる冗長構成の複数系統の監視装置を備えるネットワーク監視システムであって；
前記複数系統の監視装置のいずれかが動作不能状態になった場合に、動作不能系統の監視装置配下の前記複数の監視端末を予め設定されている優先度に従って動作可能系統の監視装置の配下に接続変更する制御手段を前記複数系統の監視装置のそれぞれが備えるネットワーク監視システム。（１）
（付記２）前記制御手段は、前記動作不能系統の監視装置配下の前記複数の監視端末を前記優先度の高優先順位の序列で前記動作可能系統の監視装置の配下に接続変更する
付記１記載のネットワーク監視システム。
【００６４】
（付記３）前記制御手段は、前記動作不能系統の監視装置配下の前記複数の監視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されていた監視端末よりも優先度の低い監視端末の接続を切断する
付記１記載のネットワーク監視システム。（２）
（付記４）前記複数の監視端末には、中枢的な監視を行う主監視端末及び予備的な監視を行う副監視端末が含まれる
付記１記載のネットワーク監視システム。
【００６５】
（付記５）前記各監視端末の識別情報毎に、前記優先度を示す優先順位情報の記憶領域
を有する記憶手段を前記複数系統の監視装置が更に備える
付記１記載のネットワーク監視システム。
【００６６】
（付記６）前記各監視端末の識別情報毎に、前記優先度を示す優先順位情報、監視装置との接続状況情報、接続監視装置情報、及び交換接続候補の監視端末情報の記憶領域を有する記憶手段を前記複数系統の監視装置が更に備える
付記１記載のネットワーク監視システム。（３）
（付記７）前記制御手段は、前記記憶手段の記憶情報に基づいて、前記動作不能系統の監視装置配下の前記複数の監視端末を前記優先度の高優先順位の序列で前記動作可能系統の監視装置の配下に接続変更するとき、前記動作可能系統の監視装置に接続されている複数の監視端末のそれぞれの優先度と比較し、前記動作不能系統の監視装置に接続されている監視端末よりも優先度の低い前記動作可能系統の監視装置配下の監視端末の接続を切断するとともに前記動作不能系統の監視装置に接続されている優先度の高い監視端末からの接続変更要求を受け入れる状態にするために、前記記憶手段における前記接続状況情報、前記接続監視装置情報、及び前記交換接続候補の監視端末情報を書き替える
付記６記載のネットワーク監視システム。（４）
（付記８）前記動作不能系統の監視装置が動作可能状態に復旧した場合、復旧監視装置の前記制御手段は、前記記憶手段における前記監視端末の識別情報、前記優先度を示す優先順位情報、及び前記接続状況情報を参照し、前記優先度の高優先順位の序列に従って切断状態の監視端末に規定接続数までの接続を許可する
付記７記載のネットワーク監視システム。（５）
（付記９）前記複数系統の監視装置のいずれかが動作不能状態になった場合、前記制御手段は、予め設定された保護時間の経過後に前記接続変更の制御を実施する
付記１記載のネットワーク監視システム。
【００６７】
（付記１０）前記制御手段は、接続変更するべき監視端末からの接続変更要求が予め設定された時間内に到来しないとき、前記交換接続候補の監視端末情報の記憶領域に格納する前記接続変更するべき監視端末対応の監視端末情報を廃棄し、次優先順位で前記接続変更するべき監視端末の接続を許容する
付記５記載のネットワーク監視システム。
【産業上の利用可能性】
【００６８】
本発明は、業務の遅延や停止などを伴うことなく重要なオペレーションを実施するために、監視対象ネットワーク上の複数の被監視装置を複数の監視端末からそれぞれ監視させる冗長構成の複数系統の監視装置を備えるネットワーク監視システムに適用可能である。
【図面の簡単な説明】
【００６９】
【図１】本発明の一実施の形態のシステムの構成を示すブロック図。
【図２】図１における監視装置及び監視端末の構成を示すブロック図。
【図３】監視装置（＃３）に障害が発生した場合、またその障害が復旧した場合の監視端末の接続割り振りの状態遷移を示す。
【図４】監視装置における他系ＩＤテーブルの一例を示す。
【図５】監視装置における優先度テーブルの一例を示す。
【図６】監視装置における優先度テーブルの一例を示す。
【図７】監視装置における優先度テーブルの一例を示す。
【図８】監視装置における優先度テーブルの一例を示す。
【符号の説明】
【００７０】
１    ネットワーク監視システム
２    監視対象ネットワーク
３    監視対象装置（被監視装置）
４    監視端末
５    監視装置
６    監視端末接続ネットワーク
７    監視装置相互接続ネットワーク
８    被監視装置接続ネットワーク
４１  通信部
４２  再接続処理部
５１  通信部
５２  障害検出機能部
５３  優先度テーブル
５４  端末接続管理部
５５  他系ＩＤテーブル
５６  保護時間テーブル
【図１】
2005159970.tif 000003
【図２】
2005159970.tif 000004
【図３】
2005159970.tif 000005
【図４】
2005159970.tif 000006
【図５】
2005159970.tif 000007
【図６】
2005159970.tif 000008
【図７】
2005159970.tif 000009
【図８】
2005159970.tif 000010